(57)【要約】【課題】同時進行する複数のプロジェクトの進捗状況とその状態を一目でわかるプロジェクト進行管理表を得ること。及び各プロジェクトの進捗状況とその状態を客観的に表示することができるシステムを提供すること。【解決手段】複数のプロジェクトについてその進捗状況をいくつかに区分したフェーズで示すとともに現在進行中のフェーズにおけるプロジェクトの状態を示すプロジェクト進行管理表を作成するプロジェクト進行管理表作成システムについて、各プロジェクトについて前記何れのフェーズにあるかを、フェーズ決定要素に基づいて決定するフェーズ決定手段と、各プロジェクトについて、フェーズの状態をフェーズ状態決定要素に基づいて決定する状態決定手段と、を有するものとした。【選択図】図１
2020166432.tif 000002
【特許請求の範囲】
【請求項１】
複数のプロジェクトについてその進捗状況をいくつかに区分したフェーズで示すとともに、プロジェクトごとに現在進行中のフェーズと、フェーズの状態とを示すプロジェクト進行管理表を作成するプロジェクト進行管理表作成システムであって、
各プロジェクトについて、フェーズ決定要素に基づいて前記区分したフェーズの中から現在進行中のフェーズを決定するフェーズ決定手段と、
各プロジェクトについて、フェーズの状態をフェーズ状態決定要素に基づいて決定する状態決定手段と、を有するプロジェクト進行管理表作成システム。
【請求項２】
前記現在進行中のフェーズの決定を行った後、その現在進行中のフェーズの状態の決定を行う請求項１記載のプロジェクト進行管理表作成システム。
【請求項３】
前記現在進行中のフェーズの決定と、その現在進行中のフェーズの状態の決定を同時に行う請求項１記載のプロジェクト進行管理表作成システム。
【請求項４】
前記フェーズ決定手段又は前記状態決定手段の少なくとも一方が、機械学習手段である請求項１〜請求項３何れか１項記載のプロジェクト進行管理表作成システム。
【請求項５】
前記フェーズ決定手段によって決定された現在進行中の前記フェーズの状態を、リスク状態を意味する文字で表示する請求項１〜請求項４何れか１項記載のプロジェクト進行管理表作成システム。
【請求項６】
前記状態決定手段によって決定された前記フェーズの状態を、リスク状態を意味する色で表示する請求項１〜請求項５何れか１項記載のプロジェクト進行管理表作成システム。
【請求項７】
請求項１〜請求項６何れか１項記載のプロジェクト進行管理表作成システムによって作成されたプロジェクト進行管理表。
【発明の詳細な説明】
【技術分野】
【０００１】
本発明は、プロジェクト進行管理表作成システムと、そのシステムによって作成されたプロジェクト進行管理表に関する。
【背景技術】
【０００２】
ビルや学校、病院、研究所、工場等の建物の新築工事や改修・建替え工事、または設備機器の更新工事など、複数の工事等が並行して実施される際に、これらの各工事（以下各「プロジェクト」という）について、それぞれ個別に工事の基本計画が練られ、設計、資材の調達、施工等がなされてゆく。これらのプロジェクトは施設利用目的・予算、配置場所、施工難易度、施設規模、管理体制、建設市況などにより様々なリスクが発生する。したがって、複数のプロジェクトを管理・進行させる企業が、同時進行している複数のプロジェクトに対して、各プロジェクトの状況を客観的にかつ可視的に、企業内の全ての関係者が一目して把握できると、サービス品質を高いレベルで安定させることが可能となる。
【０００３】
一方、本出願人は多拠点同時プロジェクトが存在する場合に、プロジェクトの管理者と、実際の工事等を行う施工者と、プロジェクトを発注した施主の少なくとも三者がこれらの各プロジェクトの進捗状況を管理し、把握することができるプロジェクト進捗状況管理システムを提供している。この技術は特許第５９０５１４６号公報（特許文献１）や、特許第６０３８２７２号公報（特許文献２）、特開２０１７−５４５３０号公報（特許文献３）に記載がある。
【先行技術文献】
【特許文献】
【０００４】
【特許文献１】特許第５９０５１４６号公報
【特許文献２】特許第６０３８２７２号公報
【特許文献３】特開２０１７−５４５３０号公報
【発明の概要】
【発明が解決しようとする課題】
【０００５】
しかしながら、上記公報に記載した技術は、プロジェクトの管理者と、実際の工事等を行う施工者と、プロジェクトを発注した施主の三者にまたがるプロジェクト進捗状況を管理するものであって、同時進行する複数のプロジェクトに対して社内管理を行うものではなかった。
【０００６】
そこで本発明は、管理すべき複数のプロジェクトが同時進行する場合に、これらのプロジェクトの状況を一覧表として可視化し、共有化して、社内のだれでも各プロジェクトの進捗状況と、そのプロジェクトの現在のリスク状態をわかるようにして、各プロジェクト業務の品質及び生産性向上と、各プロジェクト業務に係るリスクの低減などを図ることを目的としてなされたものである。
【課題を解決するための手段】
【０００７】
上記目的を達成するため本発明のプロジェクト進行管理表作成システムは以下のとおり構成される。即ち、本発明は、複数のプロジェクトについてその進捗状況をいくつかに区分したフェーズで示すとともに、プロジェクトごとに現在進行中のフェーズと、フェーズの状態とを示すプロジェクト進行管理表を作成するプロジェクト進行管理表作成システムであって、各プロジェクトについて、フェーズ決定要素に基づいて前記区分したフェーズの中から現在進行中のフェーズを決定するフェーズ決定手段と、各プロジェクトについて、フェーズの状態をフェーズ状態決定要素に基づいて決定する状態決定手段と、を有するプロジェクト進行管理表作成システムである。
【０００８】
プロジェクト進行管理表作成システムは、複数のプロジェクトについてその進捗状況をいくつかに区分したフェーズで示すとともに当該フェーズにおけるプロジェクトのリスク状態を示すプロジェクト進行管理表を作成するため、得られたプロジェクト進行管理表は、同時進行し、管理すべき複数のプロジェクトの進捗状況とそのリスク状態を一覧表として可視化して示すことができ、全てのプロジェクト実行者を初めとする当該管理表を閲覧できる人々にその内容を共有化でき、それらの誰に対しても各プロジェクトの進捗状況とそのリスク状態を容易に知らせることができる。
【０００９】
そして、プロジェクト進行管理表作成システムは、各プロジェクトについて、フェーズ決定要素に基づいて区分したフェーズの中から現在進行中のフェーズを決定するフェーズ決定手段を有するため、各プロジェクトにおける現在進行中のフェーズの決定が自動化され、個人の主観を排して、客観的な決定を行うことができる。また、プロジェクト進行管理表作成システムは、各プロジェクトについて、フェーズの状態をフェーズ状態決定要素に基づいて決定する状態決定手段を有するため、各プロジェクトにおけるフェーズの状態の決定も自動化され、個人の主観を排して、フェーズの状態の客観的な決定を行うことができる。
【００１０】
プロジェクト進行管理表作成システムは、現在進行中のフェーズの決定を行った後、その現在進行中のフェーズの状態の決定を行うものとすることができる。現在進行中のフェーズの決定を行った後、その現在進行中のフェーズの状態の決定を行うこととしたため、フェーズごとの状態の決定を慎重に行うことができる。また、後者のフェーズの状態の決定の際には、既に現在進行中のフェーズが決定しているため、他のフェーズに対する設問に応える必要がなく、また現在進行中のフェーズ以外のフェーズの状態を決定しない場合も含まれるため、現在進行中のフェーズ以外のフェーズの状態を決定するためになされる設問自体を減らすことができる。
【００１１】
プロジェクト進行管理表作成システムは、現在進行中のフェーズの決定と、その現在進行中のフェーズの状態の決定とを同時に行うことができる。現在進行中のフェーズの決定と、その現在進行中のフェーズの状態の決定を同時に行うこととしたため、現在進行中のフェーズを決定しただけでその現在進行中のフェーズの状態を決定しなかったり、いくつかのフェーズの状態を決定しただけで現在進行中のフェーズがどれかを決定しなかったり等のプロジェクト実行者によるフェーズ更新漏れ等の操作ミスを抑制して、管理情報の精度向上が期待できる。
【００１２】
プロジェクト進行管理表作成システムは、フェーズ決定手段又は状態決定手段の少なくとも一方が、機械学習手段であるものとすることができる。フェーズ決定手段又は状態決定手段の少なくとも一方が、機械学習手段であるとしたため、過去に種々のプロジェクトで行った経験、及びそのデータを利用して合理的な結果を導くことができる。また、日々、積み重ねられる新規プロジェクトとそれに対する進捗状況及び状態に対する結果をさらに利用して、より適合性の高い結果を導くようにすることができる。
【００１３】
プロジェクト進行管理表作成システムは、前記フェーズ決定手段によって決定された現在進行中の前記フェーズの状態を、リスク状態を意味する文字で表示するものとすることができる。前記フェーズ決定手段によって決定された現在進行中の前記フェーズの状態を、リスク状態を意味する文字で表示するため、得られたプロジェクト進行管理表を見た者は、複数あるフェーズのうち、文字が表示されているフェーズが現在進行中のフェーズであると一目で把握することができる。
【００１４】
プロジェクト進行管理表作成システムは、状態決定手段によって決定されたフェーズの状態を、リスク状態を意味する色で表示するものとすることができる。状態決定手段によって決定されたフェーズの状態を、リスク状態を意味する色で表示するため、得られたプロジェクト進行管理表を見た者は、一目で各プロジェクトのフェーズごとにおけるリスク状態を把握することができる。
【００１５】
あるいはまた本発明は、前記何れかのプロジェクト進行管理表作成システムによって作成されたプロジェクト進行管理表を提供する。前記何れかのプロジェクト進行管理表作成システムによって作成されたプロジェクト進行管理表であるため、表示内容が客観的で合理的なプロジェクト進行管理表が得られる。
【発明の効果】
【００１６】
本発明のプロジェクト進行管理表作成システムによれば、種々の同時並行で行われるプロジェクトの状況をリアルタイムで可視化し、共有化したプロジェクト進行管理表を作成でき、また、各プロジェクトの進捗状況とフェーズのリスクに対して客観的な理解が得られる。
また、本発明のプロジェクト進行管理表によれば、種々の同時並行で行われるプロジェクトの状況を一覧表として可視化でき、一目でその状態を把握できる。さらに、各プロジェクトの進捗状況及びその状態を共有化でき、加えて各プロジェクト業務の品質及び生産性向上と、各プロジェクト業務に係るリスクの低減などを図ることができる。
【図面の簡単な説明】
【００１７】
【図１】プロジェクト進行管理表作成システムのシステム構成図である。
【図２】プロジェクト進行管理表である。
【図３】第１実施形態の管理サーバの機能構成を示すブロック図である。
【図４】フェーズ決定シートである。
【図５】状態（色）決定シートである。
【図６】第１実施形態の管理表作成の処理フローを示すフローチャートである。
【図７】第２実施形態の管理サーバの機能構成を示すブロック図である。
【図８】第２実施形態の管理表作成の処理フローを示すフローチャートである。
【図９】第２実施形態の管理表作成の処理フローの変形例を示すフローチャートである。
【発明を実施するための形態】
【００１８】
本発明のプロジェクト進行管理表作成システム（以下単に「管理表作成システム」ともいう）についてさらに詳しく説明する。このプロジェクト進行管理表作成システムは、ビルや学校、病院、研究所、工場等の建物の新築工事や改修・建替え工事、または設備機器の更新工事など種々のプロジェクトの進捗状況を一目で把握できるプロジェクト進行管理表を作成するシステムである。なお、いくつかの実施形態において重複する事項は重複説明を省略する。
【００１９】
図１は、プロジェクト進行管理表作成システム１０のシステム構成図である。このプロジェクト進行管理表作成システム１０は、管理サーバ１ａと、各プロジェクトの実行者が用いる実行者端末２（２ａ、２ｂ、・・）と、を有し、これらがネットワーク３を介してそれぞれ接続されている。
【００２０】
管理サーバ１ａは、プロジェクト実行者のそれぞれの実行者端末２からの指示を、ネットワーク３を介して受信し、その指示に従った処理を行う。この管理サーバ１ａの構成としては、演算装置や制御装置として機能する中央演算処理装置（ＣＰＵ)や、ＲＡＭ等の主記憶装置、ハードディスク等の外部記憶装置、モデム等の通信装置、コンピュータプログラムを有している。これらの構成要素により後述する図３で示す機能ブロックを構成する。
この管理サーバ１ａは、実行者端末２以外のネットワークに接続したコンピュータ管理サーバであっても良く、実行者端末２のコンピュータで兼用する管理サーバとすることもできる。さらにクラウドコンピューティングに用いられるクラウド管理サーバであっても良い。
【００２１】
実行者端末２は、各プロジェクトのうちの少なくとも一のプロジェクトの実施に関わる者、あるいはまた管理に関わる者が使用するコンピュータであり、一または複数のコンピュータ２ａ、２ｂ、・・であり得る。この実行者端末２は、社内ＬＡＮ、インターネット等のネットワークに接続し通信可能な通信装置を備えて構成されており、プログラムを起動しネットワークに接続すると管理サーバ１ａに保存されたデータを取得して表示したり、入力装置を通じて入力されたデータを管理サーバ１ａへ送信したり、管理サーバ１ａからのデータを受信して出力装置を通じてメール等の形式で出力することができる。
この実行者端末２となるコンピュータは、いわゆるパーソナルコンピュータの他、携帯電話端末やタブレット端末などであっても良い。
【００２２】
図２には、このプロジェクト進行管理表作成システム１０によって作成され、実行者端末２のディスプレイ等の表示手段に表示されるある一のプロジェクト進行管理表（以下「管理表」ともいう）を示す。管理表１１は、縦軸に複数のプロジェクト名が示されて、横軸にはプロジェクトの進行状況に応じて区分されたフェーズが示されている。図２では、縦軸には（１）、（２）、（３）と各プロジェクトを表示しており、より具体的にはこれらは「Ａ病院新築業務」、「Ｂ社工場改修業務」、「Ｃ学校体育館建替え事業」等のプロジェクト名が記される。横軸には（Ａ）、（Ｂ）、〜（Ｅ）と各フェーズを表示しており、より具体的にはこれらは「基本設計」、「調達」、「設計マネジメント」、「施工マネジメント」等のフェーズが記される。
【００２３】
そして、縦軸と横軸とが交差した欄には、そのプロジェクトのそのフェーズにおけるリスク状態が示される。フェーズのリスク状態とは、そのフェーズにおけるプロジェクト進行上の問題の有無を簡潔に示したものである。例えば、あるフェーズにおいて、何の問題もなく順調に進めることができていれば「安全」といえるが、顧客からの高度な要求があって一部設計変更が必要となるなど、そのフェーズを慎重に進行させなければならないような場合は「注意」、そして、用地の買収が済んでいないなど重大な問題が残っており、そのフェーズの進行が中断してしまう可能性があるような場合には「危険」となる。こうしたリスク状態が直感的にわかるように「危険」の場合には“赤”色が表示され、「注意」の場合には“黄”色が表示され、「安全」の場合には“青”色が表示される。
【００２４】
そして、あるプロジェクトが現時点においてどのフェーズにあるかを示すために、現在進行中のフェーズの欄において「危険」、「注意」、「安全」といった文字が表示される。
【００２５】
改めて図２で例示したプロジェクト進行管理表１１で各プロジェクトの状態について説明する。まず、図２で示すプロジェクト（１）について見ると、フェーズ（Ａ）において「注意」の文字が赤枠に囲まれて表示され、その背景が“黄”色（図２では斜線）に表示されている。これは、プロジェクト（１）については、文字が表示されたフェーズ（Ａ）の段階に現在はあり、そのフェーズのリスク状態が「注意」であることを表している。フェーズ（Ｂ）以降に文字が表示されずに、背景が“無”色（図２では空白）であるのは、これらのフェーズのリスク状態は不明であるからである。換言すれば、現時点ではプロジェクト（１）はフェーズ（Ａ）まで進んでいるが「注意」すべき状態にあり、フェーズ（Ｂ）以降の状態は不明であることを表している。
【００２６】
また、図２で示すプロジェクト（２）について見ると、フェーズ（Ａ）において文字は表示されずに、“青”色（図２では反対斜線）が表示されている。フェーズ（Ｂ）では「注意」の文字が赤枠で囲まれて表示され、その背景が“黄”色で表示されている。また、フェーズ（Ｃ）以降のフェーズには文字が表示されずに、背景が“無”色となっている。これは、プロジェクト（２）については、文字が表示されたフェーズ（Ｂ）が現在進行中のフェーズであり、そのフェーズのリスク状態が「注意」であることを表している。フェーズ（Ａ）が青色であるため、すでに終了したフェーズ（Ａ）は問題なく完了し、フェーズ（Ｂ）に進んでいることがわかる。フェーズ（Ｃ）以降のリスク状態は不明である。
【００２７】
さらに、プロジェクト（３）について見ると、フェーズ（Ａ）では文字が表示されずに“青”色（図２では反対斜線）であり、フェーズ（Ｂ）では「安全」の文字が赤字で囲まれて表示され、その背景が“青”色で表示され、そして、フェーズ（Ｃ）以降は全て“無”色で表示されている。これは、プロジェクト（３）については、現在進行中のフェーズが、文字が表示されているフェーズ（Ｂ）であり、そのフェーズのリスク状態が「安全」であることを表している。フェーズ（Ａ）及び（Ｂ）が青色であるため、すでに終了したフェーズ（Ａ）は問題なく完了し、フェーズ（Ｂ）も問題なく進んでいることがわかる。一方、フェーズ（Ｃ）以降のリスク状態は不明である。
【００２８】
さらにまた、図２で示す一覧表の最後に記されたプロジェクト（ｎ）について見てみると、フェーズ（Ａ）及び（Ｂ）は“青”色が表示され、フェーズ（Ｃ）で“黄”色、フェーズ（Ｄ）では「危険」の文字が赤字で囲まれて表示されるとともにその背景が“赤”色（図２では横破線）に表示され、さらにフェーズ（Ｅ）で“黄”色に表示されている。これは、プロジェクト（ｎ）については文字が表示されているフェーズ（Ｄ）の段階に現在はあり、そのフェーズのリスク状態が「危険」であることを表している。フェーズ（Ａ）及び（Ｂ）が“青”色であるため、これらのフェーズでは安全に進行したが、フェーズ（Ｃ）で“黄”色であるので注意が必要であったのに、そのままフェーズ（Ｄ）に進み、現在はそのフェーズ（Ｄ）にあり、このフェーズ（Ｄ）において“赤”色であるため、大きな問題が生じていることがわかる。また、後のフェーズ（Ｅ）では“黄”色で表示されており、注意しなければいけない状態にあることが予測されている。
【００２９】
このように管理表１１は、複数の様々なプロジェクトが表示され、そのプロジェクトごとに現在進行中のフェーズを文字又は赤枠で明示するだけでなく、現在、過去、場合によっては未来のフェーズのリスク状態を「危険」、「注意」、「安全」に基づく“赤”、“黄”、“青”の色で表示している。そのため、現在進行中のフェーズと、フェーズごとのリスク状態が一目で容易にわかるようになっている。
【００３０】
＜第１実施形態＞：
さて図３には、第１実施形態であるプロジェクト進行管理表作成システム１０を実現する管理サーバ１ａの機能構成をブロック図として示した。図３で示すように、管理サーバ１ａには、記憶手段２１と、演算手段２２と、管理表表示手段２３と、フェーズ決定手段２５と、状態決定手段２６と、通信手段等のその他の手段（図示せず）を有している。
【００３１】
次に、管理表１１を作成する工程について説明する。
従来は、プロジェクトごとにその管理者が、そのプロジェクトにおける現在進行中のフェーズを示す欄に、そのフェーズにおける状態に対応する文字及び色が表示されるような入力を行っていた。例えば、プロジェクト（１）の管理者が、８月１日には「基本設計」であるフェーズ（Ａ）にあり、その内容に注意すべきことがあれば、フェーズ（Ａ）で「注意」を選択することで赤枠で囲われた「注意」の文字と、“黄”色が表示されるように入力操作していた。また、８月１５日には「調達」であるフェーズ（Ｂ）に移行し、その状態に問題が無ければ、フェーズ（Ｂ）で「安全」を選択することで、赤枠で囲われた「安全」の文字と、“青”色が表示されるように入力操作していた。このとき、フェーズが「基本設計」であるフェーズ（Ａ）から「調達」であるフェーズ（Ｂ）に移ったことで、フェーズ（Ａ）の欄から赤枠で囲われた「注意」の文字を削除し、“黄”色の色のみが表示されるように併せて入力操作していた。しかしながら、こうした操作によれば、管理者が自ら現在進行中のフェーズの決定を行い、その現在進行中のフェーズの状態を個々に入力していたため、管理者ごとの主観により表示が左右され、また、入力操作が煩雑なこともあって操作ミスによる誤情報の表示も生じていた。
【００３２】
一方、本発明によれば、後述のフェーズ決定シート１２を準備しておき、プロジェクト実行者がそのプロジェクトの進捗状況に応じて、フェーズ決定シート１２に記載された項目を満たす回答を行うと、機械的な処理がなされて自動的に現在進行中のフェーズが決定される。加えて、後述の状態決定シート１３を準備しておき、プロジェクト実行者がそのプロジェクトの進捗状況に応じて、状態決定シート１３に記載された項目を満たす回答を行うと、機械的な処理がなされて自動的にフェーズの状態が決定される
【００３３】
まず本発明の現在進行中のフェーズの決定方法について説明する。
図４には、具体的なフェーズ決定シート１２の一例を示す。フェーズ決定シート１２とは、あるプロジェクトについてその進捗状況をいくつかフェーズに区分した際に、そのプロジェクトが現時点でどのフェーズ、即ち、プロジェクト全体の進行の中で現在進行中のフェーズがどれであるか、を決定するために、そのフェーズ決定に必要となる条件等のフェーズ決定要素に関連した設問が記されたシートである。
【００３４】
図４で示したフェーズ決定シート１２は、フェーズ決定要素に関連したいくつかの設問が箇条書きになされ、各プロジェクトの実行者は、そのプロジェクトに対してなされた設問に対し、該当する場合を“○”、どちらともいえない場合に“△”、当てはまらない場合に“×”を選択してチェックするものである。フェーズ決定シート１２は記憶手段２１内に記憶され、実行者端末２のディスプレイ等の表示手段に表示される。設問に対する回答の入力は、実行者端末２のキーボード等の入力手段を通じて行われても良いし、フェーズ決定シート１２をプリントアウトし、そのプリントにプロジェクト実行者が手書きでチェックを入れたものを別途準備した自動読み取り装置等で読み取ることで入力がなされるようにしても良い。
【００３５】
フェーズ決定シート１２に対する回答もまた記憶手段２１に記憶される。演算手段２２はフェーズ決定手段２５として、予め準備されて記憶手段２１に格納されたプログラムに従って、フェーズ決定要素に付された重み付けを考慮し、○△×に与えたスコアを集計してフェーズごとの合計点を算出し、最も高い点数が付与されたフェーズを現在進行中のフェーズと決定する。
【００３６】
次に、フェーズにおける状態、限定的には、決定された現在進行中のフェーズにおけるその状態を決定する、状態決定方法について説明する。
フェーズの状態を決定するには、状態（色）決定シート１３を準備しておき、プロジェクト実行者がそのプロジェクトの進捗状況に応じて、状態（色）決定シート１３に記載された項目を満たす回答を行うと、機械的な処理がなされて自動的にフェーズの状態が決定される。
【００３７】
図５には、具体的な状態（色）決定シート１３の一例を示す。状態（色）決定シート１３は、上述のようにあるプロジェクトにおけるフェーズの状態がどのようなリスクにあるかを、「安全」、「注意」、「危険」の３つのリスクの程度に分けるために、その決定に必要となる条件等の状態決定要素に関連した設問が記されたシートである。状態決定要素としては、例えば、施設の場所、施工難易度、施設の予算・規模、顧客の属性、基本設計の進捗状況、調達の状況、設計の状況、施行の状況、建設市況、その他の状況等が挙げられ、そのうちの施設の予算・規模に関してなら、「調達」フェーズにおいては、調達先の決定の有無の状態、顧客予算との乖離の程度、調達先の財務・管理体制の状況、現状におけるその他の問題点に関連した設問が表示される。
【００３８】
状態（色）決定シート１３は記憶手段２１内に記憶され、実行者端末２のディスプレイ等の表示手段に表示される。設問に対する回答の入力は、実行者端末２のキーボード等の入力手段を通じて行なわれても良いし、状態（色）決定シート１３をプリントアウトし、プロジェクト実行者が手書きでチェックを入れたものを別途準備した自動読み取り装置等で読み取ることで入力がなされても良い。状態（色）決定シート１３に対する回答は記憶手段２１に記憶される。演算手段２２は状態決定手段２６として、予め準備され、記憶手段２１に格納されたプログラムに従って、上記状態決定項目に付された重み付けを考慮し、○△×に与えたスコアを集計して３つの状態ごとの合計点を算出し、最も高い点数が付与された状態を現在のフェーズの状態と決定する。
こうして得られた結果から、管理表表示手段２３が、あるプロジェクトにおけるフェーズと、そのフェーズにおける現在の状態を表示した管理表１１を作成する。
【００３９】
プロジェクト実行者は、各プロジェクトにおける所定の状況が変化した後に、あるいはまた、１週間後、といったように予め決められた所定の期間の経過後に、上記と同様に、フェーズ決定シート１２及び状態（色）決定シート１３への回答を行うことで、これに基づく上記と同様の工程を経て、新たなフェーズ及び状態が決定され、管理表１１に上書きされる。なお、プロジェクト実行者による回答の便宜のため、既に回答した結果は、実行者端末２のディスプレイ上に残されており、回答に変更がなければ再入力を省略させるなど、適宜、入力の便宜を図るようにしている。
【００４０】
以上の工程を改めて図６のフローチャートに従って説明する。
まず、工程ｓ１１で、演算手段２２がフェーズ決定手段２５となり、フェーズの決定をフェーズ決定シート１２に対してなされた回答から演算処理して行い、該当プロジェクトにおける現在のフェーズを決定する。次に、工程ｓ１２で、演算手段２２が状態決定手段２６となり、状態（色）決定シート１３に対してなされた回答から演算処理してフェーズの状態の決定を行う。そして最後に工程ｓ１３で管理表表示手段２３は、これらの結果を管理表１１に出力して表示する。
【００４１】
こうしたプロジェクト進行管理表作成システム１０によれば、管理表１１の作成を客観的に行うことができ、各プロジェクト業務の品質及び生産性向上と、各プロジェクト業務に係るリスクの低減、業務負担の平準化を図ることができる。また、得られたプロジェクト進行管理表は、各プロジェクトの状況を一覧表として可視化されたものであり、だれでも各プロジェクトの進捗状況と進行の状態を即座に見て取ることができる。
【００４２】
＜第２実施形態＞：
第２実施形態は、第１実施形態で説明したのと同様のプロジェクト管理表１１を作成するものであるが、その作成方法が異なる。
より具体的には、フェーズ決定シート１２に対して回答された回答群と、その回答群から決定されたフェーズの組み合わせが、過去の膨大なプロジェクトの実行結果から相当量蓄積されているので、それらの過去の実績データを用いて機械学習（ＡＩ；人工知能）手段２４で学習し予測モデルを作成しておき、次にプロジェクト実行者がフェーズ決定シート１２に対して回答した新たな回答群に対して、機械学習手段２４を通じてフェーズを決定するものである。
【００４３】
図７は第２実施形態のプロジェクト進行管理表作成システム２０における管理サーバ１ｂ（図１）の機能構成を表すブロック図である。図７で示すように、管理サーバ１ｂには、記憶手段２１と、機械学習手段２４と、管理表表示手段２３と、フェーズ決定手段２５と、状態決定手段２６と、通信手段等のその他の手段（図示せず）を有している。
【００４４】
機械学習手段２４は、ニューラルネットワーク等の機械学習の各種アルゴリズムを用いて、フェーズ決定要素に関連した設問に対する回答結果群と該当するフェーズの組み合わせを教師データとして、フェーズ決定要素に関連した設問に対する未知の回答結果群がどのフェーズに該当するかを決定するための予測モデルを作成する。
例えば、企業内で蓄積してきたデータや、上記第1実施形態で説明した方法で得られた結果が入力され、それぞれに重み付けした演算を行って結果を出力し、その結果から重み付けした演算を行って結果をさらに出力し、といったことを複数回繰り返し、最後に各フェーズの予測確率を出力するが、このときの決定すべきフェーズに対する予測確率が１００％に近くなるように学習を行って予測モデルを作成する。
【００４５】
そして、新たなプロジェクトに対する新たなフェーズの状態の決定には、プロジェクト実行者が状態（色）決定シート１３に対して回答した新たな回答群に基づき、この回答結果を機械学習手段２４による予測モデルに通すことでどのフェーズの状態に該当する確率が高いかを出力し、該当するフェーズの状態を決定する。
【００４６】
以上の工程を改めて図８のフローチャートに従って説明する。
まず、工程ｓ２１で、機械学習手段２４は、現在進行中のフェーズ決定のための予測モデルを作成する。また、工程ｓ２２で、機械学習手段２４は、フェーズの状態の決定のための予測モデルを作成する。そして工程ｓ２３で現在進行中のフェーズ決定のための予測モデルに基づいて、フェーズ決定シート１２に対してなされた回答から機械学習手段２４がフェーズ決定手段２５となってフェーズの決定を行う。さらには、工程ｓ２４でフェーズの状態の決定のための予測モデルに基づいて、状態（色）決定シート１３に対してなされた回答から機械学習手段２４が状態決定手段２６となってフェーズの状態の決定を行う。そして最後に工程ｓ２５で管理表表示手段２３は、これらの結果を管理表１１に出力して表示する。
【００４７】
あるいは図８で示した工程を変えて図９で示す工程としても良い。この工程は、まず、工程ｓ３１で、機械学習手段２４は、現在進行中のフェーズ決定のための予測モデルを作成する。機械学習手段２４は、その予測モデルに基づいて工程ｓ３２でフェーズ決定シート１２に対してなされた回答からフェーズ決定手段２５となってフェーズの決定を行う。次に、工程ｓ３３で、機械学習手段２４は、フェーズの状態の決定のための予測モデルを作成する。そして、その予測モデルに基づいて機械学習手段２４は、工程ｓ３４で状態（色）決定シート１３に対してなされた回答から状態決定手段２６となってフェーズの状態の決定を行う。そして最後に工程ｓ３５で管理表表示手段２３は、これらの結果を管理表１１に出力して表示する。
【００４８】
こうしたプロジェクト進行管理表作成システム２０によれば、管理表１１の作成を客観的に行うことができ、各プロジェクト業務の品質及び生産性向上と、各プロジェクト業務に係るリスクの低減、業務負担の平準化を図ることができる。そして、プロジェクト件数が増えて過去のデータを生かしてより適合性の高い結果が得られるように導くことができる。また、得られたプロジェクト進行管理表は、各プロジェクトの状況を一覧表として可視化されたものであり、だれでも各プロジェクトの進捗状況と進行の状態を即座に見て取ることができる。
【００４９】
＜変形形態＞：
上記実施形態では、フェーズ決定シート１２と状態（色）決定シート１３とを別個に設け、現在進行中のフェーズ決定段階と、状態決定段階とを別に行うこととしたが、これを同時に行うことができる。換言すれば、現在進行中のフェーズの決定と、フェーズ状態の決定とを別の工程とせずに、同じ工程内で行うことができる。
【００５０】
例えば、フェーズ決定シート１２と状態（色）決定シート１３とを分けずに、一つのフェーズ及び状態決定シートともいうべきシート、又は設問を準備することで、これに対するプロジェクト実行者の回答に基づいて、演算手段２２又は機械学習手段２４は、現在進行中のフェーズ及びその状態を一工程で得ることができる。
【００５１】
また、上記第２実施形態では、予測モデルの作製と、その予測モデルを利用した現在進行中のフェーズの決定と、フェーズの状態の決定を行う結果の出力とを分けて説明したが、予測モデルの作製と結果の出力を一体不可分に行うこともできる。
【００５２】
第１実施形態で説明した方法と第２実施形態で説明した方法を組み合わせたものとすることができる。例えば、現在進行中のフェーズの決定は第１実施形態で説明した方法とし、現在進行中のフェーズの状態又はそれ以外のフェーズの状態の決定を第２実施形態で説明した方法を実行できるシステム構成としても良い。
【００５３】
上記実施形態は本発明の例示であり、本発明の趣旨を逸脱しない範囲で、実施形態の変更または公知技術の付加や、組合せ等を行い得るものであり、それらの技術もまた本発明の範囲に含まれるものである。
【符号の説明】
【００５４】
１ａ，１ｂ  管理サーバ
２，２ａ，２ｂ，２ｃ  実行者端末
３  ネットワーク
１０，２０  プロジェクト進行管理表作成システム
１１  プロジェクト進行管理表（管理表）
１２  フェーズ決定シート
１３  状態（色）決定シート
２１  記憶手段
２２  演算手段
２３  管理表表示手段
２４  機械学習手段
２５  フェーズ決定手段
２６  状態決定手段
ｓ１１〜ｓ３５  工程
【図１】
2020166432.tif 000003
【図２】
2020166432.tif 000004
【図３】
2020166432.tif 000005
【図４】
2020166432.tif 000006
【図５】
2020166432.tif 000007
【図６】
2020166432.tif 000008
【図７】
2020166432.tif 000009
【図８】
2020166432.tif 000010
【図９】
2020166432.tif 000011